(57)【要約】【目的】作付け面積を大きくとれると共に、隣合う菜壇間の通路幅を広くとれ、しかも簡単容易に形成できる菜壇を提供すること。【解決手段】地面Ｇ上に前後左右四辺の土留枠Ａ，Ｂを矩形状に配置して土留周枠Ｓを形成すると共に、各土留枠Ａ，Ｂにはその内側縁に沿って、夫々棒挿通孔を形成した上下一対の取付ブラケット４，４を所要間隔おきに取り付け、各一対の取付ブラケット４，４の上下棒挿通孔３，３に土留枠固定棒６を挿通すると共に、その下方部を地中に貫入し、前記土留周枠Ｓ内に土を入れることによって形成される菜壇Ｋ。【選択図】　　　　図２
2004033068.tif 000002
【特許請求の範囲】
【請求項１】
地面上に前後左右四辺の土留枠を矩形状に配置して土留周枠を形成すると共に、各土留枠にはその内側縁に沿って、夫々棒挿入孔を形成した上下一対の取付ブラケットを所要間隔おきに取り付け、各一対の取付ブラケットの上下棒挿入孔に土留枠固定棒を挿通すると共に、その下方部を地中に貫入し、前記土留周枠内に土を入れることによって形成される菜壇。
【請求項２】
一対の取付ブラケットの上下棒挿入孔には垂直部と水平部とからなる土留枠固定棒の垂直部を挿通し、この土留枠固定棒の水平部を地面上に載置するようにしてなる請求項１に記載の菜壇。
【請求項３】
土留周枠を形成する各辺の土留枠は、複数段に重ね合わされ、これら複数段の土留枠に夫々取り付けられた取付ブラケットの棒挿通孔に土留枠固定棒が挿通されるようになっている請求項１又は２に記載の菜壇。
【請求項４】
土留周枠の各土留枠は、リップ付きチャンネル材からなり、これに取り付けられる各取付ブラケットは、チャンネル材の上端部又は下端部にスライド自在に嵌合されると共に上部又は下部のリップの先端部にスライド自在に嵌合される嵌合部片と、この嵌合部片から上部又は下部リップの外側へ水平に突出し、その中央部に棒挿入孔を形成した水平部片とからなる請求項１〜３の何れかに記載の菜壇。
【請求項５】
土留周枠の各土留枠は、リップ付きチャンネル材からなり、これに取り付けられる各取付ブラケットは、チャンネル材の上端部又は下端部にその内側から係止される係止部片と、この係止部片から上部又は下部リップの外側へ水平に突出し、その中央部に棒挿入孔を形成した水平部片とからなる請求項１〜３の何れかに記載の菜壇。
【請求項６】
土留周枠の各土留枠は、リップが中空枠状に形成されて、この中空枠状リップの外側壁部に溝が全長に亘って形成されたリップ付きチャンネル材からなるもので、これに取り付けられる各取付ブラケットは、上部又は下部の中空枠状リップ内にスライド自在に嵌合される嵌合部片と、この嵌合部片から当該中空枠状リップの溝を挿通して外側へ水平に突出し、その中央部に棒挿入孔を形成した水平部片とからなる請求項１〜３の何れかに記載の菜壇。
【請求項７】
土留周枠の各土留枠は、リップ付きチャンネル材からなり、これに取り付けられる各取付ブラケットは、チャンネル材の上端部又は下端部に嵌合されて上部又は下部のリップにビス止めされる嵌合部片と、この嵌合部片から上部又は下部リップの外側へ水平に突出し、その中央部に棒挿入孔を形成した水平部片とからなる請求項１〜３の何れかに記載の菜壇。
【請求項８】
土留周枠を形成する四辺の土留枠は、リップ付き第１チャンネル材と、この第１チャンネル材と同じ構造で断面形状が小さく、第１チャンネル材にスライド自在に嵌合されて接続可能なリップ付き第２チャンネル材とを夫々所要数個ずつ使用して形成される請求項１〜７の何れかに記載の菜壇。
【請求項９】
リップ付きチャンネル材の各ウェブに多数の小孔が形成されている請求項１〜８の何れかに記載の菜壇。
【発明の詳細な説明】
【０００１】
【発明の属する技術分野】
本発明は、野菜や草花を植える菜壇に関するもので、庭や空き地あるいは建物の屋上などに形成される菜壇に関する。
【０００２】
【従来の技術及びその課題】
従来、庭や空き地に菜壇を造る場合には、その地面を掘り起こしたり、あるいは別の場所から土を運んでくるなどして、所要高さに土を盛り上げ、畝状としている。しかしながら、このようにして形成される菜壇では、盛土の周側部が雨で流れ落ちないように法面に形成されることから、所謂作付け面積が小さくなり、また複数の菜壇を並設する場合に、隣合う菜壇間に形成される通路が狭く、作業管理が困難となる。
【０００３】
本発明は、作付け面積を大きくとれると共に、隣合う菜壇間の通路幅を広くとれ、しかも簡単容易に形成できる菜壇を提供することを目的とする。
【０００４】
【課題を解決するための手段】
請求項１に係る発明の菜壇は、図１及び図２に示すように、地面Ｇ上に前後左右四辺の土留枠Ａ，Ｂを矩形状に配置して土留周枠Ｓを形成すると共に、各土留枠Ａ，Ｂにはその内側縁に沿って、夫々棒挿通孔３を形成した上下一対の取付ブラケット４，４を所要間隔おきに取り付け、各一対の取付ブラケット４，４の上下棒挿通孔３，３に土留枠固定棒６を挿通すると共に、その下方部を地中に貫入し、前記土留周枠Ｓ内に土Ｍを入れることによって形成されることを特徴とする。
【０００５】
請求項２は、請求項１に記載の菜壇において、一対の取付ブラケット４，４の上下棒挿入孔３，３には垂直部７ａと水平部７ｂとからなる土留枠固定棒７の垂直部７ａを挿通し、この土留枠固定棒７の水平部７ｂを地面Ｇ上に載置するようにしてなる特徴とする（図１２及び図１３参照）。
【０００６】
請求項３は、請求項１又は２に記載の菜壇において、土留周枠Ｓを形成する各辺の土留枠Ａ，Ｂは、複数段に重ね合わされ、これら複数段の土留枠Ａ，Ｂに夫々取り付けられた取付ブラケット４の棒挿通孔３に土留枠固定棒６又は７が挿通されるようになっていることを特徴とする（図１４参照）。
【０００７】
請求項４は、請求項１〜３の何れかに記載の菜壇において、土留周枠Ｓの各土留枠Ａ，Ｂは、リップ付きチャンネル材からなり、これに取り付けられる各取付ブラケット１４は、チャンネル材の上端部又は下端部にスライド自在に嵌合されると共に上部又は下部のリップｒの先端部にスライド自在に嵌合される嵌合部片１４ａと、この嵌合部片１４ａから上部又は下部リップｒの外側へ水平に突出し、その中央部に棒挿通孔３を形成した水平部片１４ｂとからなることを特徴とする（図７及び図８参照）。
【０００８】
請求項５は、請求項１〜３の何れかに記載の菜壇において、土留周枠Ｓの各土留枠Ａ，Ｂは、リップ付きチャンネル材からなり、これに取り付けられる各取付ブラケット４は、チャンネル材の上端部又は下端部にその内側から係止される係止部片４ａと、この係止部片４ａから上部又は下部リップｒの外側へ水平に突出し、その中央部に棒挿通孔３を形成した水平部片４ｂとからなることを特徴とする（図３〜図５）。
【０００９】
請求項６は、請求項１〜３の何れかに記載の菜壇において、土留周枠Ｓの各土留枠Ａ，Ｂは、リップｒが中空枠状に形成されて、この中空枠状リップｒの外側壁部に溝８が全長に亘って形成されたリップ付きチャンネル材からなるもので、これに取り付けられる各取付ブラケット２４は、上部又は下部の中空枠状リップｒ内にスライド自在に嵌合される嵌合部片２４ａと、この嵌合部片２４ａから当該中空枠状リップｒの溝８を挿通して外側へ水平に突出し、その中央部に棒挿通孔３を形成した水平部片２４ｂとからなることを特徴とする（図９参照）。
【００１０】
請求項７は、請求項１〜３の何れかに記載の菜壇において、土留周枠Ｓの各土留枠Ａ，Ｂは、リップ付きチャンネル材からなり、これに取り付けられる各取付ブラケット３４は、チャンネル材の上端部又は下端部に嵌合されて上部又は下部のリップｒにビス止めされる嵌合部片３４ａと、この嵌合部片３４ａから上部又は下部リップｒの外側へ水平に突出し、その中央部に棒挿通孔３を形成した水平部片３４ｂとからなることを特徴とする（図１０参照）。
【００１１】
請求項８は、請求項１〜７の何れかに記載の菜壇において、土留周枠Ｓを形成する四辺の土留枠Ａ，Ｂは、リップ付き第１チャンネル材１と、この第１チャンネル材１と同じ構造で断面形状が小さく、第１チャンネル材１にスライド自在に嵌合されて接続可能なリップ付き第２チャンネル材２とを夫々所要数個ずつ使用して形成されることを特徴とする（図１１参照）。
【００１２】
請求項９は、請求項１〜８の何れかに記載の菜壇において、リップ付きチャンネル材の各ウェブｗに多数の小孔５が形成されていることを特徴とする（図６参照）。
【００１３】
【発明の実施の形態】
図１は本発明に係る菜壇Ｋの一実施形態を示す斜視図、図２は土を入れる前の土留周枠Ｓを示す斜視図である。この菜壇Ｋは、地面Ｇ上に前後左右四辺の土留枠Ａ，Ｂを矩形状に配置して土留周枠Ｓを形成すると共に、各土留枠Ａ，Ｂにはその内側縁に沿って、夫々棒挿通孔３を形成した上下一対の取付ブラケット４，４を所要間隔おきに取り付け、各一対の取付ブラケット４，４の上下棒挿通孔３，３に土留枠固定棒６を挿通し、この固定棒６の下方部を地中に貫入し、そして前記土留周枠Ｓ内に土Ｍを入れることによって形成されたもので、その土Ｍに野菜や草花が植えられた状態が図１に示される。
【００１４】
この実施形態の菜壇Ｋにおいて、土留周枠Ｓを形成する前後左右四辺の土留枠Ａ，Ｂは鋼製のリップ付きチャンネル材からなるもので、このチャンネル材は、図３に示すように、ウェブｗと、上下のフランジｆ，ｆと、両フランジｆ，ｆから対向突出するリップｒ，ｒとによって形成され、各リップｒの先端部には内向き突条部ｇが突設されており、ウェブｗにはその全域に亘って多数の小孔５が形成されている（図６参照）。また、チャンネル材の表面には錆止め塗装が施されている。
【００１５】
各取付ブラケット４は、図３及び図４に示すように、土留枠Ａ，Ｂを形成するチャンネル材の上端部又は下端部に対し内側からそのウェブｗとフランジｆとの内隅部とリップｒの先端部分とに亘って係止される係止部片４ａと、この係止部片４ａからリップｒの外側へ水平に突出し、その中央部に棒挿通孔３を形成した水平部片４ｂと、リップｒ先端の突条部ｇ部分に係止される係止段部４ｃとからなる断面略々Ｚ字状のブラケットである。
【００１６】
上記のような構造の第１チャンネル材１及び第２チャンネル材２を使用して、図２に示す土留周枠Ｓを形成するには、先ず、地面Ｇ上に前後左右四辺の土留枠Ａ，Ａ，Ｂ，Ｂを矩形枠状に配置して土留周枠Ｓを形成しながら、各土留枠Ａ，Ｂにはその内側縁に沿って上下一対の取付ブラケット４，４を所要間隔おきに取り付け、そして各一対の取付ブラケット４，４の上下棒挿通孔３，３に土留枠固定棒６を挿入して、その下方部を地中に貫入し、これによって前後左右四辺の土留枠Ａ，Ｂからなる土留周枠Ｓを地面Ｇ上に固定し、図２及び図３に示すような状態とする。
【００１７】
上記のように土留周枠Ｓを土留枠固定棒６によって地面Ｇの上に固定した後、この土留周枠Ｓ内に土Ｍを入れることによって、菜壇Ｋが形成される。こうして形成された菜壇Ｋに野菜や草花の種を蒔き、あるいはその苗を植え、灌水を施して育てる。また、図５は、上記のようにして形成された菜壇Ｋの一部拡大断面図である。この実施形態の場合は、図５から分かるように、取付ブラケット４及びその棒挿通孔３に挿通される土留枠固定棒６が土Ｍの中に埋入された状態となって、外部から見えないため、外観上の体裁、見栄えが良くなる。
【００１８】
図７及び図８は、他の実施形態による取付ブラケット１４を示す。この取付ブラケット１４は、土留枠Ａ，Ｂを形成するチャンネル材の上端部又は下端部に対し長さ方向スライド自在に嵌合されるコ字枠状の嵌合部片１４ａと、この嵌合部片１４ａの一端側に設けられて、リップｒの先端部にスライド自在に嵌合されるコ字溝状の嵌合部片１４ｃと、この嵌合部片１４ｃからリップｒの外側へ水平に突出し、その中央部に棒挿通孔３を形成した水平部片１４ｂとから構成される。この取付ブラケット１４は、チャンネル材に対しその端部から嵌合することによって簡単容易に取り付けられるもので、図７は、この取付ブラケット１４の取付状態及び使用状態を示す。
【００１９】
図９は、更に他の実施形態による取付ブラケット２４を示すもので、これを取り付けるチャンネル材は、図示のようにリップｒが中空枠状に形成されて、この中空枠状リップｒの外側壁部に溝９が全長に亘って形成されている。しかして、このチャンネル材に取り付けられる取付ブラケット２４は、上部又は下部の中空枠状リップｒ内に長さ方向スライド自在に嵌合される嵌合部片２４ａと、この嵌合部片２４ａから当該中空枠状リップｒの溝８を挿通して外側へ水平に突出し、その中央部に棒挿通孔３を形成した水平部片２４ｂとから構成される。この取付ブラケット２４も、前記取付ブラケット１４と同様に、チャンネル材に対しその端部から嵌合することによって簡単容易に取り付けられるもので、図９はこの取付ブラケット２４の取付状態及び使用状態を示す。
【００２０】
図１０は、更に他の実施形態による取付ブラケット３４を示すもので、土留枠Ａ，Ｂを形成するチャンネル材の上端部又は下端部に嵌合されて上部又は下部のリップｒにビス１０止めされる嵌合部片３４ａと、この嵌合部片３４ａから上部又は下部リップｒの外側へ水平に突出し、その中央部に棒挿通孔３を形成した水平部片３４ｂとから構成される。この取付ブラケット３４は、チャンネル材の上端部と下端部とに夫々嵌合してリップｒにビス１０止めすればよいから、取付が簡単である。
【００２１】
図１１は２種類のチャンネル材１，２を使用して形成した土留周枠Ｓを示す。即ち、土留周枠Ｓを形成する前後左右四辺の土留枠Ａ，Ｂのうち例えば前後各土留枠Ａは、１個のリップ付き第２チャンネル材２からなり、左右各土留枠Ｂは、１個のリップ付き第１チャンネル材１と２個のリップ付き第２チャンネル材２とを接続して形成される。第１チャンネル材１と第２チャンネル材２とは全く同じ構造であるが、第２チャンネル材２の断面形状が第１チャンネル材１よりも若干小さく、従って第２チャンネル材２は、第１チャンネル材１内に長さ方向スライド自在に嵌合されて、第１チャンネル材１に対し接続可能となる。
【００２２】
上記のような構造の第１チャンネル材１及び第２チャンネル材２を使用して、図１１に示す土留周枠Ｓを形成するには、地面Ｇ上に２個の第１チャンネル材１，１を使用して前後の土留枠Ａ，Ａを形成し、両第１チャンネル材１，１の両端部間に、夫々２個の第２チャンネル材２，２とこれらに嵌合した１個の第１チャンネル材１とからなる左右の土留枠Ｂ，Ｂを介在させて、土留周枠Ｓを形成し、各チャンネル材１，２の内側縁に沿った適当箇所に上下一対の取付ブラケット４，４を取り付け、各一対の取付ブラケット４，４の上下棒挿通孔３，３に土留枠固定棒６を挿通すると共にその下方部う地中に貫入して、土留周枠Ｓを地面Ｇ上に固定すればよい。この取付ブラケット４は一使用例であって、他の取付ブラケット１４，２４，３４を適宜使用することができる。
【００２３】
このような第１チャンネル材１と第２チャンネル材２とを任意個数使用することによって、前後各辺の土留枠Ａ及び左右各辺の土留枠Ｂを夫々任意の長さに設定できて、任意の大きさの土留周枠Ｓを形成することができる。また、このようなチャンネル材１，２を使用することにより、土留枠Ａ，Ｂが軽量にして且つ十分な剛性を有するものとなり、従って施工現場への土留枠Ａ，Ｂの搬入が容易でなると共に、土留周枠Ｓの組立作業が容易となり、また使用中に土留枠Ａ，Ｂが土圧によって変形するようなことがない。
【００２４】
上述した菜壇Ｋの実施形態では、土留枠固定棒４は、全体が直線状の棒体であるが、図１２及び図１３は、上下各一対の取付ブラケット４，４（他のブラケット１４，１４なども含む）の上下棒挿通孔３，３に挿通される垂直部７ａと、この垂直部７ａの下端から直角を成して延設され、地面Ｇ上に載置される水平部７ｂと、からなる土留枠固定棒７を使用した土留周枠Ｓの実施形態を示している。この土留枠固定棒７は、菜壇Ｋを形成する地面が硬くて地中への貫入が困難であったり、あるいは建物の屋上などのコンクリートのように棒体が貫入不能な地面上に菜壇を造成する場合に有効となる。
【００２５】
図１２に示す土留周枠Ｓでは、土留周枠Ｓを形成する第１チャンネル材１又は第２チャンネル材２に取り付けられる上下各一対の取付ブラケット４，４の上下棒挿通孔３，３に土留枠固定棒７の垂直部７ａを挿通し、その水平部７ｂを土留周枠Ｓ内の地面Ｇ上に載置するようにしたもので、この状態で土留周枠Ｓ内に土Ｍを入れることにより、その土Ｍの土圧で水平部７ｂが地面Ｇ上に固定され、しかしてこの土留枠固定棒７により土留枠Ａ，Ｂが固定される。この土留枠固定棒７は、夫々所定長さにカットした鉄筋材からなる垂直部７ａと水平部７ｂとを溶接して接合することにより形成れる。
【００２６】
図１３は、同じ土留周枠Ｓにおいて前後に対向する土留枠Ａ，Ａ又は左右に対向する土留枠Ｂ，Ｂ間に使用する土留枠固定棒７を示したもので、垂直部７ａ及び水平部７ｂを夫々所定の長さに設定しておいて、水平部７ｂの両端部に夫々垂直部７ａを溶接で垂設して、コ字状に形成する。このコ字状土留枠固定棒７も、夫々所定長さに切断した鉄筋材からなる。
【００２７】
これまで説明した菜壇Ｋは、土留周枠Ｓを形成する左右前後各辺の土留枠Ａ，Ｂが一段で形成されたものであるが、本発明に係る菜壇Ｋでは、各辺の土留枠Ａ，Ｂを２段以上の複数段に重ね合わせて形成することができる。図１４は、土留周枠Ｓを形成する左右前後各辺の土留枠Ａ，Ｂを夫々上下２段に重ね合わせて、この上下２段の土留枠Ａ，Ｂに夫々取り付けられた上下各一対の取付ブラケット４，４の上下棒挿通孔３，３に土留枠固定棒４を挿通した状態を示す。このように土留枠Ａ，Ｂを複数段に重ね合わせることによって、高さの高い土留周枠Ｓを形成でき、例えば大根やゴボウなどのように根や茎の長い野菜を植えつけるのに好適となる。この場合、土留枠固定棒４に代えて、あるいは土留枠固定棒４と併用して、図１２及び図１３に示すような垂直部７ａと水平部７ｂとからなる土留枠固定棒７を使用することができる。
【００２８】
尚、図６に示すように、土留枠Ａ，Ｂを形成するチャンネル材のウェブｗにはその全域に亘って多数の小孔５が形成されているから、菜壇Ｋの使用に際して、その小孔５により排水が良好となって、根腐れを起こすようなことがない上に、その小孔５を通じて菜壇Ｋの土Ｍの中に外部から酸素が導入され、それによって野菜や草花の成長が著しく促進される。
【００２９】
【発明の効果】
請求項１に係る発明の菜壇は、地面上に土留枠を矩形状に配置して土留周枠を形成すると共に、各土留枠の内側縁沿いに上下一対の取付ブラケットを所要間隔おきに取り付け、各一対の取付ブラケットの棒挿入孔に土留枠固定棒を挿通して下方部を地中に貫入し、土留周枠内に土を入れることによって簡単且つ容易に形成できる菜壇であって、従来の菜壇のように周側部に法面が形成されないから、菜壇の外周側面が地面に対し垂直な垂直面を形成し、従って土留周枠で囲まれる範囲の全域が植付け可能と状態となって、作付け面積を大きくとることができると共に、菜壇を並設する場合に隣合う菜壇間に形成される通路の幅が十分広くとれて、菜壇の作業管理が容易となる。
【００３０】
特に、この菜壇では、土留枠に取り付けた取付ブラケットの棒挿通孔に土留枠固定棒を挿通してその下方部を地中に貫入するため、土圧による各土留枠の倒れを阻止して、各土留枠を地面上に確実に固定することができる。また、土留枠固定棒は、土留周枠内に入れた土の中に埋入されて、外部から見えなくなるため、外観上の体裁、見栄えが良くなる。
【００３１】
請求項２に係る発明のよれば、取付ブラケットの上下棒挿入孔に垂直部と水平部とからなる土留枠固定棒の垂直部を挿通し、この土留枠固定棒の水平部を地面上に載置すれば、菜壇を形成する地面が硬くて、地中への土留枠固定棒の貫入が困難であったり、あるいは建物の屋上などのコンクリート地面で土留枠固定棒の貫入が不可能な場合でも、土留枠を確実に固定でき、きわめて有効である。
【００３２】
請求項３に係る発明のように、土留枠を複数段に重ね合わせるようにすれば、土留周枠の高さを高くできて、根や茎の長い野菜などを植えつけるのに好適な菜壇を造成できる。
【００３３】
請求項４に係る発明のよれば、各土留枠がリップ付きチャンネル材からなり、これに取り付けられる各取付ブラケットが、チャンネル材の上端部又は下端部にスライド自在に嵌合されると共に上部又は下部のリップの先端部にスライド自在に嵌合される嵌合部片と、この嵌合部片から上部又は下部リップの外側へ水平に突出し、その中央部に棒挿入孔を形成した水平部片とからなるものによれば、土留枠に対する取付ブラケットの取付けが簡単である上、一旦取り付ければ、容易に外れることがない。また、土留枠としてリップ付きチャンネル材を使用することによって、土留枠が軽量にして且つ十分な剛性を有するものとなり、従って施工現場への搬入が容易で且つ土留周枠の組立作業が容易となり、また使用中に土圧によって変形するようなことがない。
【００３４】
請求項５に係る発明によれば、各土留枠がリップ付きチャンネル材からなり、これに取り付けられる各取付ブラケットが、チャンネル材の上端部又は下端部にその内側から係止される係止部片と、この係止部片から上部又は下部リップの外側へ水平に突出し、その中央部に棒挿入孔を形成した水平部片とからなるため、土留枠に対する取付ブラケットの取付けが簡単容易となる。
【００３５】
請求項６に係る発明によれば、各土留枠は、リップが中空枠状に形成されて、この中空枠状リップの外側壁部に溝を形成したリップ付きチャンネル材からなり、これに取り付けられる各取付ブラケットは、上部又は下部の中空枠状リップ内にスライド自在に嵌合される嵌合部片と、この嵌合部片から中空枠状リップの溝を挿通して外側へ水平に突出し、その中央部に棒挿入孔を形成した水平部片とからなるため、土留枠に対する取付ブラケットの取付けが簡単である上、一旦取り付ければ、土留枠から容易に外れることがない。
【００３６】
請求項７に係る発明によれば、各土留枠がリップ付きチャンネル材からなり、これに取り付けられる各取付ブラケットが、チャンネル材の上端部又は下端部に嵌合されて上部又は下部のリップにビス止めされる嵌合部片と、この嵌合部片から上部又は下部リップの外側へ水平に突出し、その中央部に棒挿入孔を形成した水平部片とからなるため、土留枠への取付ブラケットの取付けが簡単となる。
【００３７】
請求項８に係る発明のように、土留周枠を、リップ付き第１チャンネル材と、この第１チャンネル材と同じ構造で断面形状が小さく、第１チャンネル材にスライド自在に嵌合されて接続可能なリップ付き第２チャンネル材とを夫々所要数個ずつ使用して形成すれば、前後各辺の土留枠及び左右各辺の土留枠を夫々任意の長さに設定できて、任意の大きさの菜壇を簡単容易に造成できる。
【００３８】
請求項９に係る発明のように、チャンネル材の各ウェブに多数の小孔を形成しておけば、菜壇の使用時に、その小孔により排水が良好となって根腐れを起こすようなことがない上に、その小孔を通じて菜壇の土の中に外部から酸素が導入されて、野菜や草花の成長が著しく促進される。
【図面の簡単な説明】
【図１】本発明に係る菜壇の一実施形態を示す斜視図である。
【図２】土を入れる前の菜壇の土留周枠を示す斜視図である。
【図３】取付ブラケットの取付状態を示す斜視図である。
【図４】図３に示す取付ブラケットの斜視図である。
【図５】菜壇の一部拡大断面図である。
【図６】土留枠を形成するチャンネル材のウェブに多数の小孔が形成された状態を示す斜視図である。
【図７】他の取付ブラケットの取付状態を示す斜視図である。
【図８】図７に示す取付ブラケットの斜視図である。
【図９】更に他の取付ブラケットの取付状態を示す斜視図である。
【図１０】更に他の取付ブラケットの取付状態を示す斜視図である。
【図１１】土留周枠の他の実施形態を示す斜視図である。
【図１２】菜壇の断面図で、垂直部と水平部とからなる土留枠固定棒を示している。
【図１３】菜壇の横断面図で、コ字状の土留枠固定棒を使用する場合を示している。
【図１４】土留枠を２段に重ね合わせて形成される土留周枠の一部を示す断面図である。
【符号の説明】
Ｋ　　　　　　菜壇
Ｓ　　　　　　菜壇の土留周枠
Ａ，Ｂ　　　　土留枠
Ｇ　　　　　　地面
１　　　　　　第１チャンネル材
２　　　　　　第２チャンネル材
ｗ　　　　　　チャンネル材のウェブ
ｆ　　　　　　チャンネル材のフランジ
ｒ　　　　　　チャンネル材のリップ
３　　　　　　棒挿通孔
４　　　　　　取付ブラケット
５　　　　　　小孔
６　　　　　　全体が直線状の土留枠固定棒
７　　　　　　垂直部と水平部とからなる土留枠固定棒
７ａ　　　　　土留枠固定棒の垂直部
７ｂ　　　　　土留枠固定棒の水平部
１４　　　　　取付ブラケット
２４　　　　　取付ブラケット
３４　　　　　取付ブラケット
【図１】
2004033068.tif 000003
【図２】
2004033068.tif 000004
【図３】
2004033068.tif 000005
【図４】
2004033068.tif 000006
【図５】
2004033068.tif 000007
【図６】
2004033068.tif 000008
【図７】
2004033068.tif 000009
【図８】
2004033068.tif 000010
【図９】
2004033068.tif 000011
【図１０】
2004033068.tif 000012
【図１１】
2004033068.tif 000013
【図１２】
2004033068.tif 000014
【図１３】
2004033068.tif 000015
【図１４】
2004033068.tif 000016